(57)【要約】      （修正有）【課題】ケーブルヘッド部を固定板上に固定すると共に、ケーブルヘッド部から曝露している導電性撚線を固定すことができるケーブル固定アセンブリを提供する。【解決手段】ケーブル固定アセンブリのケーブルヘッド部１０２は、接合部１０２２およびロック体１０２３を備える。ロック体１０２３は、接合部１０２２の一方の端部の両サイドの表面に配置される。ケーブル固定アセンブリの固定板は、接合孔２０２、戻り防止ブロック２０４およびフックを備える。接合孔２０２は、固定板を貫通して形成される。戻り防止ブロック２０４は、接合孔に隣接して形成され、誘導斜面および戻り防止面を備える。フックは、固定板に配置されて、ケーブル本体内の導電性撚線を固定する。接合部１０２２およびロック体１０２３は、接合孔２０２の中に挿入され、ある特定の角度回転させられ、ロック体１０２３は、誘導斜面上を移動した後、戻り防止面でロックされる。【選択図】図３
2014146779.tif 000002
【特許請求の範囲】
【請求項１】
ケーブル固定アセンブリであって：
ケーブルであって：
ケーブル本体、ならびに
前記ケーブル本体の端部に配置されたケーブルヘッド部であって：
応力解放部であって、前記応力解放部の第１の端部が前記ケーブル本体の前記端部に接続された応力解放部、
接合部であって、該接合部の第１の端部が前記応力解放部の第２の端部の端部表面に配置された接合部、および
前記接合部の第２の端部の両サイドの表面に配置され、前記接合部の前記第２の端部から延出するロック体であって、扇形状であるロック体
を備える前記ケーブルヘッド部
を備えるケーブル；ならびに
固定板であって：
前記固定板を貫通して形成される接合孔であって、該接合孔の形状が、前記接合部および前記ロック体の全体形状と合致する接合孔、
前記固定板に形成され、前記接合孔と隣接する少なくとも１つの戻り防止ブロックであって、誘導斜面および戻り防止面を備える少なくとも１つの戻り防止ブロック、ならびに
前記固定板に配置されて、前記ケーブルの前記ケーブル本体内にある導電性撚線を固定する、少なくとも１つのフック
を備える固定板
を備えるケーブルにおいて；
前記接合部および前記ロック体は、前記接合孔の中に挿入され、ある特定の角度回転させられ、前記ロック体は、前記誘導斜面上を移動して、前記戻り防止面によってロックされる、
ケーブル固定アセンブリ。
【請求項２】
前記固定板は、ブロッキング片であって、前記固定板に配置され、前記接合孔に隣接し、前記戻り防止ブロックの反対側にある、少なくとも１つのブロッキング片をさらに備え；前記接合部は、筒形状であり；前記接合孔の形状は、環状であって、該環状部の両サイドから延出する２つの扇形を有し；前記戻り防止ブロックおよび前記ブロッキング片は、前記接合孔の前記扇形の２つのエッジにそれぞれ隣接して配置される、請求項１に記載のケーブル固定アセンブリ。
【請求項３】
前記ブロッキング片は、ブロッキング表面を有し；２つのブロッキング片および２つの戻り防止ブロックがあり；前記２つのブロッキング片は、対角線上に配置され、前記２つの戻り防止ブロックは、対角線上に配置される、請求項２に記載のケーブル固定アセンブリ。
【請求項４】
前記固定板を受容し、前記固定板と結合するケースをさらに備え、前記ケースは、前記ケースの側壁を貫通して形成されたスルーホールを備えて、前記ケーブル本体を前記スルーホールに通過させ；前記ロック体と前記応力解放部との間には制限溝が形成される、請求項１に記載のケーブル固定アセンブリ。
【請求項５】
前記ケーブルヘッド部は、前記接合部の第２の端部の端部表面に配置された端末部をさらに備え、前記導電性撚線を受容するために、前記端末部、前記接合部および前記応力解放部を貫通するスルーホールが形成される、請求項１に記載のケーブル固定アセンブリ。
【発明の詳細な説明】
【技術分野】
【０００１】
本発明は、ケーブルに関し、さらに詳細には、ケーブル固定アセンブリに関する。
【背景技術】
【０００２】
ほとんどの電子機器は、その機器がどのような機能を有しているかに関わらず、電源ケーブルまたは信号ケーブルなどのケーブルを有する。電源ケーブルは、電子機器に電気エネルギーを送るのに使用され、信号ケーブルは、電子機器に信号を送信するのに用いられることができる。ケーブルは、多くの方法で電子機器と組み合わせることができ、その方法は、一般に、取り外し可能な設計と取り外し不可能な設計とに分けることができる。
【０００３】
ケーブルは、取り外し可能な設計では電子機器から取り外し可能でなければならず、この設計の場合、ケーブルの一方の端部は、プラグとして設計され、このプラグに適合するソケットが電子機器内に配置され、その結果プラグは、ソケットの中に挿入されてケーブルを電子機器と組み合わされる。プラグが電子機器内に配置される位置は、電子機器内の電子部品の構成に適合していなければならない。
【０００４】
ケーブルは、取り外し不可能な設計の電子機器に固定され、電子機器から取り外されることはできず、この設計では、ケーブルの一方の端部に接合部が設計され、電子機器は、上方ハウジングおよび下方ハウジングを備えている。上方ハウジングおよび下方ハウジングには、これに対応する上方接合ノッチおよび下方接合ノッチがそれぞれ配置され、その結果、上方ハウジングおよび下方ハウジングは、ケーブルの接合部を上方接合ノッチと下方接合ノッチとの間に挟むようにして組み立てられることができる。ケーブルが電子機器内に固定される位置は、上方ハウジングが下方ハウジングと組み合わさる位置のみ可能である。
【発明の概要】
【発明が解決しようとする課題】
【０００５】
従来の取り外し不可能な設計である電子機器の外観は、著しく制限されている。なぜなら、ケーブルは、上方ハウジングが下方ハウジングと組み合わさる組み立て位置に固定されるからである。例えば、電子機器の外観にケーブルが容易に見えないようにしたい場合に、ケーブルが電子機器の底（下方ハウジングの底）と組み合わさっていれば、プラグ−ソケットの設計しか適用できない。しかしながら、ケーブルを電子機器から取り外し可能にする必要がなければ、プラグ−ソケットの設計は、製造コストを上昇させるものになる。この問題を克服するため、製造者のなかには、ケーブルの接合部に外部紐を配置しているところがある。ケーブルを下方ハウジングにある環状のスルーホールに通した後、環状のスルーホールよりも外径の大きいナットが接合部の外部紐と嵌合し、ケーブルが下方ハウジングと組み合わさるようになる。しかしながら、ナットと外部紐との設計により、新たに組み立て工程が必要になり、この組み立てに工具を用いなければならず、これによって製造コストが上昇する。
【課題を解決するための手段】
【０００６】
一態様では、本発明は、ケーブルおよび固定板を備えるケーブル固定アセンブリを開示する。ケーブルは、ケーブル本体、およびケーブル本体の一方の端部に配置されたケーブルヘッド部を備える。ケーブルヘッド部は、応力解放部、接合部およびロック体を備える。応力解放部の第１の端部が、ケーブル本体の端部に接続される。接合部の第１の端部が、応力解放部の第２の端部の端部表面に配置される。ロック体は、接合部の第２の端部の両サイドの表面に配置され、接合部の第２の端部から延出する。ロック体は、扇形状であってよい。固定板は、接合孔、少なくとも１つの戻り防止ブロックおよび少なくとも１つのフックを備える。接合孔は、固定板を貫通して形成される。接合孔の形状は、接合部およびロック体の全体形状と合致する。少なくとも１つの戻り防止ブロックは、固定板に形成され、接合孔と隣接する。少なくとも１つの戻り防止ブロックは、誘導斜面および戻り防止面を備える。少なくとも１つのフックは、固定板上に形成されて、ケーブルのケーブル本体内にある導電性撚線を固定する。接合部およびロック体は、接合孔の中に挿入され、ある特定の角度回転させられ、ロック体は、誘導斜面上を移動し、戻り防止面によってロックされる。
【発明の効果】
【０００７】
本発明の１つの利点は、ケーブルを固定する位置が制限されない状態で、ケーブルを結合ケース上にしっかりと固定できる点である。
【０００８】
本発明のもう１つの利点は、本発明によりケーブルヘッド部から曝露している導電性撚線を固定するまたは隠すことができる点である。
【０００９】
これらの利点およびその他の利点は、添付の図面を用いて取り上げた以下の好適な実施形態および特許請求の範囲から明らかになるであろう。
【図面の簡単な説明】
【００１０】
本発明は、本明細書に記載したいくつかの好適な実施形態および詳細な説明文ならびに以下の添付図面により理解されるであろう。
【００１１】
【図１】本発明の一実施形態によるケーブルの図である。
【図２】本発明の一実施形態による固定板の図である。
【図３】本発明の一実施形態によるケーブル固定アセンブリの組み立てステップを示す図である。
【図４】本発明の一実施形態によるケーブル固定アセンブリの組み立てステップを示す図である。
【図５】本発明の一実施形態によるケーブル固定アセンブリの組み立てステップを示す図である。
【発明を実施するための形態】
【００１２】
次に、本発明を好適な実施形態および態様に沿って説明していくが、これらの説明は、本発明の構造および工程を明らかにするものであり、本発明の特許請求の範囲を説明するためだけのものであって限定するためのものではない。したがって、本明細書における好適な実施形態以外に、本発明を他の実施形態で広く使用してもよい。
【００１３】
本発明は、ケーブル固定アセンブリを開示する。図１、図２および図４に示すように、本発明の１つの実施形態によれば、本発明のケーブル固定アセンブリは、ケーブル１０および結合ケース２０を備える。１つの実施形態では、図１に示すように、ケーブル１０は、ケーブル本体１０１およびケーブルヘッド部１０２を備える。図３を参照すると、ケーブル本体１０１は、絶縁外層およびこの絶縁外層に覆われた導電性撚線を備える。ケーブルヘッド部１０２の一方の端部にあるの導電性撚線は、図３に示すように曝露している。図１に示すように、ケーブル本体１０１は、２つの端部を有し、一方の端部は公知のコネクタ（図示せず）を具備し、もう一方の端部はケーブルヘッド部１０２を具備している。図１を参照すると、ケーブルヘッド部１０２は、ケーブル本体１０１の端部から順に、応力解放部１０２１、接合部１０２２および端末部１０２５を備える。応力解放部１０２１の第１の端部は、ケーブル本体１０１に接続され、１つの実施形態では、応力解放部１０２１は、オーバーモールド成形によって比較的柔らかい絶縁ゴムで形成されてよい。比較的柔らかい絶縁ゴムで形成された応力解放部１０２１は、湾曲可能で、外側への引っ張り力に耐え得るため、ケーブル本体１０１が外部の力で引っ張られた際に極めて大きい応力がかかることによって生じるひび割れや剥離を防止できる。接合部１０２２の第１の端部は、応力解放部１０２１の第２の端部の端部表面に形成される。１つの実施形態では、接合部１０２２の形状には、筒状部を含んでよいがこれに限定されなくてもよい。ロック体１０２３は、接合部１０２２の第２の端部の両サイドの表面に形成され、この表面から延出している。応力解放部１０２１とロック体１０２３との間には、制限溝１０２４が形成される。端末部１０２５は、接合部１０２２の第２の端部の端部表面に形成される。１つの実施形態では、導電性撚線をケーブル本体１０１内に受容するために、端末部１０２５、接合部１０２２および応力解放部１０２１を貫通するスルーホール１０２６を形成することができる。１つの実施形態では、接合部１０２２、ロック体１０２３および端末部１０２５は、インモールド成形によって比較的硬い絶縁ゴムで形成されてよい。
【００１４】
本発明の１つの実施形態では、図２および図４に示すように、結合ケース２０は、ケース２０７および固定板２０１を備える。図２を参照すると、接合孔２０２が固定板２０１を貫通して形成される。接合孔２０２の形状は、接合部１０２２および２つのロック体１０２３の全体形状と合致する。１つの実施形態では、接合孔２０２の形状は、環状であって、この環状部の両サイドから延出する２つの扇形を有する環状であってよい。固定板２０１には位置固定領域２０３が形成され、この領域は、接合孔２０２の扇形のない両サイドに隣接する。接合孔２０２の扇形部は、外側円弧部および両サイドの２つの短エッジを有する。ブロッキング片２０５および戻り防止ブロック２０４が、接合孔２０２の扇形部の２つの短エッジにそれぞれ隣接して配置される。２つのブロッキング片２０５および２つの戻り防止ブロック２０４は、対角線上に配置される。図２に示すように、戻り防止ブロック２０４は、右回り方向に向かって傾斜する誘導斜面２０４１およびこの誘導斜面２０４１の一番上から位置固定領域２０３まで垂直に延びる戻り防止表面２０４２を有する。ブロッキング片２０５は、位置固定領域２０３に垂直なブロッキング表面２０５１を有する。図２および図５を参照すると、１つまたは複数のフック２０６が固定板２０１上に左右互い違いになるように配置され、ケーブルヘッド部１０２から曝露している導電性撚線をフック２０６の凹状部分が受容するようになっている。１つの実施形態では、複数のフック２０６の水平方向の位置は、接合孔２０２の位置と全体的に一直線になるように配列されることができ、ケーブル１０から曝露している導電性撚線を上向きに曲げて、この撚線をフック２０６の凹状部分内に設置するようにする。図４に示すように、スルーホール２０８が、ケース２０７の側壁の接合孔２０２の高さと一致する高さに設けられ、ケーブル１０のケーブル本体１０１がこのスルーホールを通過する。
【００１５】
図１から図５を参照すると、本発明の１つの実施形態では、導電性撚線を内包するケーブル１０のケーブルヘッド部１０２は、固定板２０１で接合孔２０２と一直線になるように配列される。次に、接合部１０２２、ロック体１０２３、端末部１０２５および曝露している導電性撚線が、接合孔２０２の中に挿入され、制限溝１０２４は、接合孔２０２の側壁と一致する。続いて、ケーブル１０が右回りに回されると、ロック体１０２３が戻り防止ブロック２０４の誘導斜面２０４１と接触して、誘導斜面２０４１上を動き、わずかに塑性変形して誘導斜面２０４１を横断し、さらに位置固定領域２０３の中に移動し、２つの戻り防止ブロック２０４の戻り防止面２０４２および２つのブロッキング片２０５のブロッキング表面２０５１によってロックされる。ロック体１０２３は、逆の左回りに回転することはできず、ケーブルは、結合ケース２０の固定板２０１に直接固定され、固定板２０１から取り外されることはできない。次に、図４に示すように、ケーブル１０を固定した固定板２０１は、ケース２０７内に設定され、ケーブル１０のケーブル本体１０１は、ケース２０７のスルーホール２０８の中に挿入されて、固定板２０１がケース２０７の側壁に取り付けられる。１つの実施形態では、熱溶着方法、またはネジ留め方法などの他の方法を用いて、固定板２０１をケース２０７に固定することができる。続いて、図５に示すように、ケーブルヘッド部１０２から曝露している導電性撚線は、上向きに折り曲げられ、固定板２０１上にあるフック２０６の凹状部分内に設置されることができる。したがって、ケーブル１０を固定板２０１上に固定できるだけでなく、ケーブルヘッド部１０２から曝露している導電性撚線も固定するまたは隠すことができる。
【００１６】
上記の説明は、本発明の好適な実施形態である。この実施形態は、説明のみを目的として記載したものであって限定するものではなく、本発明の精神および範囲を逸脱しないかぎり、当業者によって数々の変更および修正が加えられてもよいことは理解されるはずである。そうしたあらゆる修正および変更は、請求項に記載された発明またはその均等物の範囲内に含まれるものである。
【図１】
2014146779.tif 000003
【図２】
2014146779.tif 000004
【図３】
2014146779.tif 000005
【図４】
2014146779.tif 000006
【図５】
2014146779.tif 000007